(57)【特許請求の範囲】
【請求項１】
上下支持片の前端で支持された当板と前記上下支持片の後端で支持されたハンドルとからなる固定枠体と、
上記当板に固定された第１支持片にその前端が回動自在に支承されると共に、その後端が第１ハンドルを支持し、その第１中央横架軸に多数の湾曲する第１係合針が植設されてなる第１回動枠体と、
上記当板に固定された第２支持片にその前端が回動自在に支承されると共に、その後端が第２ハンドルを支持し、その第２中央横架軸に多数の湾曲する第２係合針が植設されてなる第２回動枠体と
を備えることを特徴とする紙筒苗群分離装置。
【請求項２】
前記第１回動枠体又は前記第２回動枠体がその回動方向とは直交する長手方向へスライドする
ことを特徴とする請求項１に記載の紙筒苗群分離装置。
【請求項３】
前記当板は、前記第１回動枠体及び前記第２回動枠体にそれぞれ対応した第１当板及び第２当板を有し、
前記第１回動枠体及び前記第１当板が一体化した状態で、かつ前記第２回動枠体及び前記第２当板が一体化した状態で、前記第１回動枠体又は前記第２回動枠体の回動方向とは直交する長手方向へスライドする
ことを特徴とする請求項１に記載の紙筒苗群分離装置。
【請求項４】
前記第１回動枠体及び前記第２回動枠体は、所定のスライド軸を介して相互に連結されている
ことを特徴とする請求項１乃至３に記載の紙筒苗群分離装置。
【発明の詳細な説明】
【技術分野】
【０００１】
本発明は、紙筒苗群分離装置に関し、特に、紙筒苗分離器の改良に関するものである。
【背景技術】
【０００２】
従来、図５に示すように紙筒苗分離器１００においては、上下支持片１０１の前端で当板１０２を支持すると共に後端で縦ハンドル１０３を支持してなる固定枠体ＫＷと、当該当板１０２に固定された左右支持片１０５に対してその前端が回動自在に支承される一方、その後端が横ハンドル１０６を支持し、かつ中央横架軸１０７に対して多数の湾曲した係合針１０８が植設されてなる回動枠体ＲＷとから構成され、更に当板１０２にはその上端に前向き屈曲片１１０が延出されている。
【０００３】
この紙筒苗分離器１００では、紙筒苗群（図示せず）における最前列の紙筒苗列の側面に当板１０２が当接されると共に当該紙筒苗列の上面に前向き屈曲片１１０が乗載され、すなわち当板１０２の上端部と前向き屈曲片１１０とにより形成される直角隅角部１１１が紙筒苗列の上端部に当接嵌合された固定状態において、回動枠体ＲＷを回動して複数の係合針１０８をそれぞれ複数の紙筒内に挿入係合させ、その状態で、紙筒苗分離器１００全体が手前側へ引かれることにより、当該最前列の紙筒苗列を次順位列のものから分離させるようになされたものである（例えば特許文献１参照）。
【０００４】
一方、半自動ビート用移植機においては、左右２つの苗植付部を有するタイプのものがあり、左右２つの苗植付部に対応した左右２つの苗搬送ベルトに紙筒苗列をそれぞれ載せる必要がある。
【先行技術文献】
【特許文献】
【０００５】
【特許文献１】実開平５−５５８２５号公報
【発明の概要】
【発明が解決しようとする課題】
【０００６】
ところで、左右２つの苗植付部を有するタイプの半自動ビート用移植機を１名の苗供給者だけで操作する際、左右２つの苗植付部に対応した左右２つの苗搬送ベルトの間に所定距離の間隔が開いているため、苗供給者が着座している座席中央の位置から紙筒苗分離器１００を用いて左右２つの苗搬送ベルトの上に紙筒苗列を載せる際、苗供給者が身体を左右へ大きく捻る必要があり、身体的負担が大きいと共に、作業効率が悪いという問題があった。
【０００７】
本発明は、以上のような問題点を解消するためになされたものであり、苗供給者の身体的負担を小さくしながら、移植機に対する紙筒苗列の供給作業を簡単、確実かつ正確で効率良く実行し得る紙筒苗群分離装置を提案しようとするものである。
【課題を解決するための手段】
【０００８】
請求項１に係る本発明の紙筒苗群分離装置においては、上下支持片の前端で支持された当板と上下支持片の後端で支持されたハンドルとからなる固定枠体と、当板に固定された第１支持片にその前端が回動自在に支承されると共に、その後端が第１ハンドルを支持し、その第１中央横架軸に多数の湾曲する第１係合針が植設されてなる第１回動枠体と、当板に固定された第２支持片にその前端が回動自在に支承されると共に、その後端が第２ハンドルを支持し、その第２中央横架軸に多数の湾曲する第２係合針が植設されてなる第２回動枠体とを備えるように構成されたものである。
【０００９】
これにより紙筒苗群分離装置は、半自動ビート用移植機における複数の苗植付部に対応した複数の苗搬送ベルトの間に間隔が開いていても、複数の苗搬送ベルトに第１回動枠体及び第２回動枠体をそれぞれ対応させた状態で個別に回動動作することができるので、苗供給者が身体を左右へ捻ることなく、第１回動枠体により保持された第１紙筒苗列、第２回動枠体により保持された第２紙筒苗列を複数の苗搬送ベルトに簡単、確実かつ正確で効率良く供給することができる。
【００１０】
また、請求項２に係る紙筒苗群分離装置においては、第１回動枠体又は第２回動枠体がその回動方向とは直交する長手方向へスライドするようにした。
【００１１】
これにより紙筒苗群分離装置は、半自動ビート用移植機における複数の苗植付部に対応した複数の苗搬送ベルトの間に間隔が開いていても、第１回動枠体又は第２回動枠体がその回動方向とは直交する長手方向へスライドするので、苗供給者が身体を左右へ捻ることなく、複数の苗搬送ベルトに対して第１回動枠体及び第２回動枠体をそれぞれ位置的に対応させた状態で、第１回動枠体により保持された第１紙筒苗列、第２回動枠体により保持された第２紙筒苗列を複数の苗搬送ベルトに簡単、確実かつ正確で効率良く供給することができる。
【００１２】
さらに、請求項３に係る紙筒苗群分離装置において、当板は、第１回動枠体及び第２回動枠体にそれぞれ対応した第１当板及び第２当板を有し、第１回動枠体及び第１当板が一体化した状態で、かつ第２回動枠体及び第２当板が一体化した状態で、第１回動枠体又は第２回動枠体の回動方向とは直交する長手方向へスライドするようにした。
【００１３】
これにより紙筒苗群分離装置は、第１回動枠体及び第１当板が一体化した状態で、かつ第２回動枠体及び第２当板が一体化した状態で、第１回動枠体又は第２回動枠体の回動方向とは直交する長手方向へスライドすることにより、半自動ビート用移植機における複数の苗植付部に対応した複数の苗搬送ベルトの間に間隔が開いていても、苗供給者が身体を左右へ捻ることなく、複数の苗搬送ベルトに対して第１回動枠体及び第２回動枠体をそれぞれ位置的に対応させた状態で、第１回動枠体及び第２回動枠体を個別に回動動作させることができるので、第１回動枠体により保持された第１紙筒苗列、第２回動枠体により保持された第２紙筒苗列を複数の苗搬送ベルトに簡単、確実かつ正確で効率良く供給することができる。
【００１４】
さらに、請求項４に係る紙筒苗群分離装置においては、第１回動枠体及び第２回動枠体が所定のスライド軸を介して相互に連結されているようにした。
【００１５】
これにより紙筒苗群分離装置は、半自動ビート用移植機における複数の苗植付部に対応した複数の苗搬送ベルトの間に間隔が開いていても、第１回動枠体及び第２回動枠体が所定のスライド軸を介して相互に連結されているので、スライド後の１回の回動動作だけで、苗供給者が身体を左右へ捻ることなく、複数の苗搬送ベルトに対して同時に第１紙筒苗列及び第２紙筒苗列を簡単、確実かつ正確で効率良く供給することができる。
【発明の効果】
【００１６】
以上説明したように、本発明によれば、半自動ビート用移植機における複数の苗植付部に対応した複数の苗搬送ベルトの間に間隔が開いていても、複数の苗搬送ベルトに第１回動枠体及び第２回動枠体がそれぞれ対応した状態で個別に回動動作することができるので、苗供給者が身体を左右へ捻ることなく、第１回動枠体により保持された第１紙筒苗列、第２回動枠体により保持された第２紙筒苗列を複数の苗搬送ベルトに簡単、確実かつ正確で効率良く供給し得る紙筒苗群分離装置を実現することができる。
【図面の簡単な説明】
【００１７】
【図１】本発明の第一の実施の形態における紙筒苗群分離装置の全体構成を示す上面図、正面図及び側面図である。
【図２】本発明の第二の実施の形態における紙筒苗群分離装置の全体構成を示す上面図、正面図及び側面図である。
【図３】本発明の第三の実施の形態における紙筒苗群分離装置の全体構成を示す上面図、正面図及び側面図である。
【図４】本発明の第四の実施の形態における紙筒苗群分離装置の全体構成を示す上面図、正面図及び側面図である。
【図５】従来の紙筒苗分離器の全体構成を示す上面図、正面図及び側面図である。
【発明を実施するための形態】
【００１８】
（１）第一の実施の形態
図１において、１０は全体として本発明の第一の実施の形態における紙筒苗群分離装置を示し、上下支持片１１の前端で紙筒苗群（図示せず）における最前列の紙筒苗列の側面に押し当てるための当板１２を支持すると共に、その後端で縦ハンドル１３を支持してなる固定枠体ＫＷ１を有する。
【００１９】
また紙筒苗群分離装置１０は、縦ハンドル１３を中心にして当該当板１２の長手方向の右側及び左側に振り分けられて固定された右側支持片１５及び左側支持片１６を有する。
【００２０】
紙筒苗群分離装置１０は、右側支持片１５に対してその前端が回動自在に支承される一方、その後端が右側横ハンドル２３を支持し、かつ右側中央横架軸２１に対して多数の湾曲した右側係合針２２が植設されてなる右側回動枠体ＲＷ１Ｒを有すると共に、左側支持片１６に対してその前端が回動自在に支承される一方、その後端が左側横ハンドル２６を支持し、かつ左側中央横架軸２４に対して多数の湾曲した左側係合針２５が植設されてなる左側回動枠体ＲＷ１Ｌを有している。
【００２１】
これら右側回動枠体ＲＷ１Ｒ及び左側回動枠体ＲＷ１Ｌは、あたかも従来の回動枠体ＲＷ（図５）をその中心部分から２つに分割したかのようであり、右側中央横架軸２１、左側中央横架軸２４に対する右側横ハンドル２３、左側横ハンドル２６の取付状態が左右対称となっている以外、基本的に同じ構造となっているが、互いに独立した状態で、右側支持片１５及び左側支持片１６に対して回動自在に操作できるようになされている。
【００２２】
ところで紙筒苗分離器１０では、当板１２の上端に前向き屈曲片１８が延出されており、紙筒苗群（図示せず）における最前列の紙筒苗列の側面に当板１２が当接されると共に当該紙筒苗列の上面に前向き屈曲片１８が乗載される。
【００２３】
すなわち紙筒苗群分離装置１０は、当板１２の上端部と前向き屈曲片１８とにより形成される直角隅角部１９が紙筒苗列の上端部に当接嵌合された固定状態において、右側回動枠体ＲＷ１Ｒの右側中央横架軸２１、左側回動枠体ＲＷ１Ｌの左側中央横架軸２４に対して植設された多数の湾曲した右側係合針２２、左側係合針２５をそれぞれ複数の紙筒内に挿入係合させ、その状態で、紙筒苗群分離装置１０全体が手前側へ引かれることにより最前列の紙筒苗列を次順位列のものから分離させるようになされている。
【００２４】
その後、紙筒苗群分離装置１０は、左右２つの苗植付部を有するタイプの半自動ビート用移植機における当該左右２つの苗植付部に対応した左右２つの苗搬送ベルトに対し、右側回動枠体ＲＷ１Ｒ及び左側回動枠体ＲＷ１Ｌにより保持している最前列の紙筒苗列を倒置して載せる。
【００２５】
その際、紙筒苗群分離装置１０は、右側支持片１５及び左側支持片１６に対して右側回動枠体ＲＷ１Ｒ及び左側回動枠体ＲＷ１Ｌが互いに独立して回動可能であるため、例えば苗供給者が着座している半自動ビート用移植機の座席中央位置から右側回動枠体ＲＷ１Ｒを回動させて右側紙筒苗列から右側係合針２２を引き抜くことにより、当該右側回動枠体ＲＷ１Ｒにより保持されている右側紙筒苗列だけを右側の苗搬送ベルトに載せて供給することができる。
【００２６】
その後、紙筒苗群分離装置１０は、苗供給者が着座している半自動ビート用移植機の座席中央位置から左側回動枠体ＲＷ１Ｌを回動させて左側紙筒苗列から左側係合針２２を引き抜くことにより、当該左側回動枠体ＲＷ１Ｌにより保持されている左側紙筒苗列だけを左側の苗搬送ベルトに載せて供給することができる。
【００２７】
このとき紙筒苗群分離装置１０は、右側の苗搬送ベルトに対しては右側回動枠体ＲＷ１Ｒだけを回動させて右側紙筒苗列だけを供給することができるし、かつ、左側の苗搬送ベルトに対しては左側回動枠体ＲＷ１Ｌだけを回動させて左側紙筒苗列だけを供給することができるので、身体を左右へ捻る割合を大幅に減少させて苗供給者の身体的負担を軽減し得、かくして容易かつ正確に紙筒苗列を右側及び左側の苗搬送ベルトへ供給し得るようになされている。
【００２８】
以上の構成において、第一の実施の形態における紙筒苗群分離装置１０は、半自動ビート用移植機における左右２つの苗植付部に対応した左右２つの苗搬送ベルトにそれぞれ対応して個別に回動動作可能な右側回動枠体ＲＷ１Ｒ及び左側回動枠体ＲＷ１Ｌを設けたことにより、右側の苗搬送ベルトに対しては右側回動枠体ＲＷ１Ｒだけを回動させて右側紙筒苗列だけを供給することができ、かつ、左側の苗搬送ベルトに対しては左側回動枠体ＲＷ１Ｌだけを回動させて左側紙筒苗列だけを供給することができる。
【００２９】
すなわち第一の実施の形態における紙筒苗群分離装置１０では、苗供給者に対して、右側の苗搬送ベルトに対しては右側回動枠体ＲＷ１Ｒだけを回動させ、左側の苗搬送ベルトに対しては左側回動枠体ＲＷ１Ｌだけを回動させるようにしたことにより、苗供給者が着座している座席中央位置から右側の苗搬送ベルト及び左側の苗搬送ベルトに紙筒苗列を載せる際に身体を左右へ捻る割合を約半分以下に低減し、紙筒苗列の供給作業を簡単かつ正確に効率良く実行することができる。
【００３０】
以上の構成によれば、第一の実施の形態における紙筒苗群分離装置１０は、右側支持片１５及び左側支持片１６に対して右側回動枠体ＲＷ１Ｒ及び左側回動枠体ＲＷ１Ｌを互いに独立して回動可能な構成としたことにより、半自動ビート用移植機における左右２つの苗植付部に対応した左右２つの苗搬送ベルトに対して紙筒苗列を供給するときの身体的負担を大幅に軽減し、かつ紙筒苗列の供給作業を簡単かつ正確に効率良く実行することができる。
【００３１】
（２）第二の実施の形態
図１との対応部分に同一符号を付した図２において、３０は全体として本発明の第二の実施の形態における紙筒苗群分離装置を示し、上下支持片１１の前端で紙筒苗群（図示せず）における最前列の紙筒苗列の側面に押し当てるための当板１２を支持すると共に、その後端で縦ハンドル１３を支持してなる固定枠体ＫＷ１を有する。
【００３２】
また紙筒苗群分離装置３０は、縦ハンドル１３を中心にして当該当板１２の長手方向の右側及び左側に固定された右側支持片１５及び左側支持片１６を有する。
【００３３】
紙筒苗群分離装置３０は、右側支持片１５に対してその前端が回動自在に支承される一方、その後端が右側横ハンドル２３を支持し、かつ右側中央横架軸２１に対して多数の湾曲した右側係合針２２が植設されてなる右側回動枠体ＲＷ１Ｒを有すると共に、左側支持片１６に対してその前端が回動自在に支承される一方、その後端が左側横ハンドル２６を支持し、かつ左側中央横架軸２４に対して多数の湾曲した左側係合針２５が植設されてなる左側回動枠体ＲＷ１Ｌを有している。
【００３４】
これら右側回動枠体ＲＷ１Ｒ及び左側回動枠体ＲＷ１Ｌは、右側中央横架軸２１、左側中央横架軸２４に対する右側横ハンドル２３、左側横ハンドル２６の取付状態が左右対称となっている以外、基本的に同じ構造となっており、右側支持片１５及び左側支持片１６に対して同時に回動操作できるようになされている。
【００３５】
実際上、右側回動枠体ＲＷ１Ｒ及び左側回動枠体ＲＷ１Ｌは、中空のパイプ状に形成された右側横ハンドル２３及び左側横ハンドル２６に対して棒状でなるスライド軸３１が挿通されたことにより相互に連結され、右側横ハンドル２３、左側横ハンドル２６がスライド軸３１に対して長手方向に沿ったスライド方向及び当該スライド軸３１を中心とした回転方向へ摺動可能に取り付けられている。
【００３６】
さらに左側回動枠体ＲＷ１Ｌについては、左側支持片１６の間に取り付けられた軸３２Ａ、及び当該軸３２Ａに対してスライド方向及び回転方向に摺動可能に取り付けられた円筒状のスライダー３２Ｂにより構成されるスライドユニット３２を有し、当該スライドユニット３２のスライダー３２Ｂが、２本のステー３２Ｃを介して左側中央横架軸２４に固定されている。
【００３７】
これにより紙筒苗群分離装置３０は、右側回動枠体ＲＷ１Ｒに対して左側回動枠体ＲＷ１Ｌがスライドユニット３２により長手方向に沿ってスライドし得るようになされている。このとき左側回動枠体ＲＷ１Ｌのスライド可能範囲は、スライドユニット３２のスライダー３２Ｂが軸３２Ａを介して左右に摺動可能な左側支持片１６の間である。
【００３８】
実際上、左側回動枠体ＲＷ１Ｌがスライドして右側回動枠体ＲＷ１Ｒから最も遠くに離れた位置まで移動したときでも、スライド軸３１が所定の長さに選定されているため、当該スライド軸３１が左側横ハンドル２６から外れてしまうことがなく、当該スライド軸３１を介して右側横ハンドル２３と左側横ハンドル２６との連結状態が維持される。
【００３９】
かくして紙筒苗群分離装置３０では、左側支持片１６の間で左側回動枠体ＲＷ１Ｌがスライドして、当該左側回動枠体ＲＷ１Ｌが右側回動枠体ＲＷ１Ｒから所定距離だけ離れた状態であっても、右側横ハンドル２３、左側横ハンドル２６がスライド軸３１を介して連結されているため、右側横ハンドル２３又は左側横ハンドル２６に対する１回の回動操作に応じて、右側回動枠体ＲＷ１Ｒ及び左側回動枠体ＲＷ１Ｌを同時に回動させ得るようになされている。
【００４０】
ところで紙筒苗群分離装置３０は、当板１２の上端に前向き屈曲片１８が延出されており、紙筒苗群（図示せず）における最前列の紙筒苗列の側面に当板１２が当接されると共に当該紙筒苗列の上面に前向き屈曲片１８が乗載される。
【００４１】
すなわち紙筒苗群分離装置３０は、当板１２の上端部と前向き屈曲片１８とにより形成される直角隅角部１９が紙筒苗列の上端部に当接嵌合された固定状態において、右側回動枠体ＲＷ１Ｒの右側中央横架軸２１、左側回動枠体ＲＷ１Ｌの左側中央横架軸２４に対して植設された多数の湾曲した右側係合針２２、左側係合針２５をそれぞれ複数の紙筒内に挿入係合させ、その状態で、紙筒苗群分離装置３０全体が手前側へ引かれることにより、最前列の紙筒苗列を次順位列のものから分離させるようになされている。
【００４２】
その後、紙筒苗群分離装置３０は、左右２つの苗植付部を有するタイプの半自動ビート用移植機における当該左右２つの苗植付部に対応した左右２つの苗搬送ベルトに対し、右側回動枠体ＲＷ１Ｒ及び左側回動枠体ＲＷ１Ｌにより保持している最前列の紙筒苗列を倒置して載せる。
【００４３】
その際、紙筒苗群分離装置３０は、右側回動枠体ＲＷ１Ｒと左側回動枠体ＲＷ１Ｌとの間隔が左右２つの苗搬送ベルトの間隔とほぼ同じ程度の所定距離だけ離れた状態で、右側回動枠体ＲＷ１Ｒ及び左側回動枠体ＲＷ１Ｌを同時に回動させることができる。
【００４４】
従って紙筒苗群分離装置３０では、例えば苗供給者が着座している半自動ビート用移植機の座席中央位置から右側回動枠体ＲＷ１Ｒ及び左側回動枠体ＲＷ１Ｌを同時に回動させて右側係合針２２、左側係合針２５を引き抜くことにより、当該右側回動枠体ＲＷ１Ｒにより保持されている右側紙筒苗列及び当該左側回動枠体ＲＷ１Ｌにより保持されている左側紙筒苗列を左右２つの苗搬送ベルトに載せて同時に供給することができる。
【００４５】
このとき紙筒苗群分離装置３０は、苗供給者が着座している座席中央位置から身体を左右へ捻る必要が殆ど無いため、苗供給者の身体的負担を軽減し得、かくして右側紙筒苗列及び左側紙筒苗列を右側及び左側の苗搬送ベルトへ同時に、しかも容易かつ正確に供給し得るようになされている。
【００４６】
以上の構成において、第二の実施の形態における紙筒苗群分離装置３０は、半自動ビート用移植機における左右２つの苗植付部に対応した左右２つの苗搬送ベルトに対向するように配置でき、かつ、同時に回動動作可能な右側回動枠体ＲＷ１Ｒ及び左側回動枠体ＲＷ１Ｌを設けたことにより、右側回動枠体ＲＷ１Ｒ及び左側回動枠体ＲＷ１Ｌを介した１回の回動動作だけで右側の苗搬送ベルト及び左側の苗搬送ベルトへ同時に右側紙筒苗列、左側紙筒苗列を供給することができる。
【００４７】
すなわち第二の実施の形態における紙筒苗群分離装置３０では、右側回動枠体ＲＷ１Ｒに対して左側回動枠体ＲＷ１Ｌがスライドし、半自動ビート用移植機における左右２つの苗搬送ベルトと位置的に対応した状態で同時に回動動作できるようにしたことにより、苗供給者が着座している座席中央位置のまま身体を左右へ捻ることなく、紙筒苗列の供給作業を同時、簡単かつ正確に効率良く実行することができる。
【００４８】
以上の構成によれば、第二の実施の形態における紙筒苗群分離装置３０は、左側回動枠体ＲＷ１Ｌに対して右側回動枠体ＲＷ１Ｒをスライド可能とし、かつ右側回動枠体ＲＷ１Ｒ及び左側回動枠体ＲＷ１Ｌを同時に回動動作可能な構成としたことにより、半自動ビート用移植機における左右２つの苗植付部に対応した左右２つの苗搬送ベルトに対して紙筒苗列を供給するときの身体的負担を大幅に軽減し、かつ紙筒苗列の供給作業を同時、簡単かつ正確に効率良く実行することができる。
【００４９】
（３）第三の実施の形態
図１との対応部分に同一符号を付した図３において、４０は全体として本発明の第三の実施の形態における紙筒苗群分離装置を示し、大きく分けて、右側分離部４１及び左側分離部４２によって構成されている。
【００５０】
右側分離部４１は、上下支持片１１の前端で紙筒苗群（図示せず）における最前列の紙筒苗列の側面に押し当てるための右側当板１２Ａを支持すると共に、その後端で縦ハンドル１３を支持してなる固定枠体ＫＷ１を有する。
【００５１】
この右側分離部４１は、右側当板１２Ａの裏側に固定された右側支持片１５を有し、当該右側支持片１５に対してその前端が回動自在に支承される一方、その後端が中空のパイプ状に形成された右側横ハンドル２３を支持し、かつ右側中央横架軸２１に対して多数の湾曲した右側係合針２２が植設されてなる右側回動枠体ＲＷ１Ｒを有している。
【００５２】
一方、左側分離部４２は、紙筒苗群（図示せず）における最前列の紙筒苗列の側面に押し当てるためであり、右側当板１２Ａと同一のサイズ、形状及び機能を有する左側当板１２Ｂを有する。
【００５３】
この左側分離部４２は、左側当板１２Ｂの裏側に固定された左側支持片１６を有し、当該左側支持片１６に対してその前端が回動自在に支承される一方、その後端が中空のパイプ状に形成された左側横ハンドル２６を支持し、かつ左側中央横架軸２４に対して多数の湾曲した左側係合針２５が植設されてなる左側回動枠体ＲＷ１Ｌを有している。
【００５４】
これら右側回動枠体ＲＷ１Ｒ及び左側回動枠体ＲＷ１Ｌは、右側中央横架軸２１、左側中央横架軸２４に対する右側横ハンドル２３、左側横ハンドル２６の取付状態が左右対称となっている以外、基本的に同じ構造となっており、右側支持片１５及び左側支持片１６に対して個別に独立して回動操作できるようになされている。
【００５５】
ところで右側分離部４１及び左側分離部４２は、スライドユニット５１によりスライド自在に連結されており、右側当板１２Ａ及び左側当板１２Ｂがお互いの端部で接合された状態から、当該スライドユニット５１のスライド可能範囲内で右側当板１２Ａ及び左側当板１２Ｂが所定距離だけ離れるようになされている。
【００５６】
実際上、スライドユニット５１は、右側分離部４１の右側当板１２Ａに対してネジ５８、５９によりスライドレール５２の一端側が取付固定されると共に、左側分離部４２の左側当板１２Ｂに対してスライドレール５２の他端側がスライド長穴５２Ａを介してネジ５３、５４により当該左側当板１２Ｂの長手方向へスライド自在に取り付けられている。
【００５７】
すなわち紙筒苗群分離装置４０では、ネジ５３、５４を介して左側当板１２Ｂとスライドレール５２とが取り付けられるものの、当該ネジ５３、５４のネジ軸部分がスライド長穴５２Ａ内に位置しているため、当該スライドユニット５１のスライド長穴５２Ａの長さ範囲内で左側当板１２Ｂを長手方向へスライドし得るようになされている。
【００５８】
この場合、ネジ５３、５４は、左側当板１２Ｂがスライドユニット５１のスライド長穴５２Ａの長さ範囲内でスライドする際のストッパの役割を担うことにもなり、右側当板１２Ａと左側当板１２Ｂとの間隔が必要以上に拡がり過ぎないように設定されている。
【００５９】
このように紙筒苗群分離装置４０は、右側分離部４１に対して左側分離部４２が長手方向に沿ってスライドし、このとき右側当板１２Ａに対して右側回動枠体ＲＷ１Ｒが回動自在に取り付けられていると共に、左側当板１２Ｂに対して左側回動枠体ＲＷ１Ｌが回動自在に取り付けられている。
【００６０】
かくして紙筒苗群分離装置４０は、右側分離部４１に対して左側分離部４２がスライドし、半自動ビート用移植機における左右２つの苗搬送ベルトと位置的に対応した状態で、右側回動枠体ＲＷ１Ｒ及び左側回動枠体ＲＷ１Ｌを互いに独立して回動させ得るようになされている。
【００６１】
ところで紙筒苗群分離装置４０は、右側当板１２Ａ、左側当板１２Ｂの上端に右側前向き屈曲片１８Ａ、左側前向き屈曲片１８Ｂが延出されており、紙筒苗群（図示せず）における最前列の紙筒苗列の側面に右側当板１２Ａ、左側当板１２Ｂが当接されると共に当該紙筒苗列の上面に右側前向き屈曲片１８Ａ、左側前向き屈曲片１８Ｂが乗載される。
【００６２】
すなわち紙筒苗群分離装置４０は、右側当板１２Ａ、左側当板１２Ｂの上端部と右側前向き屈曲片１８Ａ、左側前向き屈曲片１８Ｂとにより形成される右側直角隅角部１９Ａ、左側直角隅角部１９Ｂが紙筒苗列の上端部に当接嵌合された固定状態において、右側回動枠体ＲＷ１Ｒの右側中央横架軸２１、左側回動枠体ＲＷ１Ｌの左側中央横架軸２４に対して植設された多数の湾曲した右側係合針２２、左側係合針２５をそれぞれ複数の紙筒内に挿入係合させ、その状態で、紙筒苗群分離装置４０全体が手前側へ引かれることにより、最前列の紙筒苗列を次順位列のものから分離させるようになされている。
【００６３】
その後、紙筒苗群分離装置４０は、左右２つの苗植付部を有するタイプの半自動ビート用移植機における当該左右２つの苗植付部に対応した左右２つの苗搬送ベルトに対し、右側回動枠体ＲＷ１Ｒ及び左側回動枠体ＲＷ１Ｌにより保持している最前列の右側紙筒苗列及び左側紙筒苗列を倒置して載せる。
【００６４】
その際、紙筒苗群分離装置４０は、左右２つの苗搬送ベルトの間隔とほぼ同じ程度に設定された距離だけ、左側当板１２Ｂを右側当板１２Ａから長手方向へスライドさせた後、右側回動枠体ＲＷ１Ｒ及び左側回動枠体ＲＷ１Ｌをそれぞれ個別に独立して回動させることができる。
【００６５】
従って紙筒苗群分離装置４０は、例えば苗供給者が着座している半自動ビート用移植機の座席中央位置から右側回動枠体ＲＷ１Ｒ、左側回動枠体ＲＷ１Ｌを順番に回動させて右側係合針２２、左側係合針２５を引き抜くことにより、当該右側回動枠体ＲＷ１Ｒにより保持されている右側紙筒苗列及び当該左側回動枠体ＲＷ１Ｌにより保持されている左側紙筒苗列を左右２つの苗搬送ベルトにそれぞれ載せて供給することができる。
【００６６】
このとき紙筒苗群分離装置４０は、苗供給者が着座している座席中央位置から身体を左右へ捻る必要が殆ど無いため、苗供給者の身体的負担を軽減し得、かくして右側紙筒苗列及び左側紙筒苗列を右側及び左側の苗搬送ベルトへ容易かつ正確に供給し得るようになされている。
【００６７】
なお、紙筒苗群分離装置４０は、スライドユニット５１により左側当板１２Ｂを右側当板１２Ａから長手方向へスライドさせた状態で、右側回動枠体ＲＷ１Ｒ及び左側回動枠体ＲＷ１Ｌをそれぞれ個別に独立して回動させることができるので、左右２つの苗搬送ベルトの前にそれぞれ苗供給者が着座している場合にも対応することができ、１人用及び２人用に供することができる。
【００６８】
以上の構成において、第三の実施の形態における紙筒苗群分離装置４０は、右側回動枠体ＲＷ１Ｒと右側当板１２Ａとが一体化され、左側回動枠体ＲＷ１Ｌと左側当板１２Ｂとが一体化された状態で、右側当板１２Ａから左側当板１２Ｂがスライドする。
【００６９】
このため紙筒苗群分離装置４０は、右側係合針２２、左側係合針２５により係合された右側紙筒苗列、左側紙筒苗列を、当該右側係合針２２と右側当板１２Ａとの間、及び左側係合針２５と左側当板１２Ｂとの間に挟み付けたままの強固な状態で保持することが出来る。
【００７０】
従って紙筒苗群分離装置４０は、半自動ビート用移植機における左右２つの苗植付部に対応した左右２つの苗搬送ベルトに対向するように右側当板１２Ａから左側当板１２Ｂを配置したとき、当該左右２つの苗搬送ベルトへ右側回動枠体ＲＷ１Ｒ及び左側回動枠体ＲＷ１Ｌから右側紙筒苗列、左側紙筒苗列を供給する前に落下させてしまう事態を未然に回避することができる。
【００７１】
また紙筒苗群分離装置４０は、右側当板１２Ａから左側当板１２Ｂをスライドさせて分離すると共に、右側回動枠体ＲＷ１Ｒ及び左側回動枠体ＲＷ１Ｌをそれぞれ独立して回動させることができるので、右側回動枠体ＲＷ１Ｒ及び左側回動枠体ＲＷ１Ｌにより右側の苗搬送ベルト及び左側の苗搬送ベルトに対して右側紙筒苗列、左側紙筒苗列を独立して供給することができる。
【００７２】
すなわち第三の実施の形態における紙筒苗群分離装置４０では、右側当板１２Ａ及び右側回動枠体ＲＷ１Ｒと、左側当板１２Ｂ及び左側回動枠体ＲＷ１Ｌとが互いに所定距離だけ離れた状態でそれぞれ個別に回動動作できるようにしたことにより、苗供給者が着座している座席中央位置のまま身体を左右へ捻ることなく、右側紙筒苗列、左側紙筒苗列の供給作業を確実かつ正確に効率良く実行することができる。
【００７３】
以上の構成によれば、第三の実施の形態における紙筒苗群分離装置４０は、一体化した右側当板１２Ａ及び右側回動枠体ＲＷ１Ｒに対して、一体化した左側当板１２Ｂ及び左側回動枠体ＲＷ１Ｌをスライド可能とし、かつ右側回動枠体ＲＷ１Ｒ及び左側回動枠体ＲＷ１Ｌをそれぞれ独立して回動動作可能な構成としたことにより、半自動ビート用移植機における左右２つの苗植付部に対応した左右２つの苗搬送ベルトに対して紙筒苗列を供給するときの身体的負担を大幅に軽減し、かつ紙筒苗列の供給作業を確実かつ正確に効率良く実行することができる。
【００７４】
（４）第四の実施の形態
図３との対応部分に同一符号を付した図４において、６０は全体として本発明の第四の実施の形態における紙筒苗群分離装置を示し、大きく分けて、右側分離部４１及び左側分離部４２によって構成されている。
【００７５】
この第四の実施の形態における紙筒苗群分離装置６０は、第三の実施の形態における紙筒苗群分離装置４０と比べてスライド構造が異なる以外、右側分離部４１及び左側分離部４２については紙筒苗群分離装置４０と同じ構造を有しており、ここでは便宜上その説明を省略する。
【００７６】
紙筒苗群分離装置６０では、右側分離部４１及び左側分離部４２が蛇腹式スライドユニット６３により伸縮自在に連結されており、右側当板１２Ａ及び左側当板１２Ｂがお互いの端部で接合された状態から、当該蛇腹式スライドユニット６３の伸縮範囲内で右側当板１２Ａ及び左側当板１２Ｂが所定距離だけ離れることができるようになされている。
【００７７】
実際上、スライドユニット６３は、いわゆる蛇腹構造でなり、右側端部６３Ａが当板１２Ａの一端に保持プレート６４を介して取り付けられると共に、左側端部６３Ｂが当板１２Ｂの他端に当該保持プレート６４を介して取り付けられ、右側端部６３Ａ及び左側端部６３Ｂの間にある蛇腹部分６３Ｃが伸縮することにより、右側当板１２Ａ及び左側当板１２Ｂの間隔を自在に変更し得るようになされている。
【００７８】
ここで、右側当板１２Ａ及び左側当板１２Ｂは、保持プレート６４を介してスライドユニット６３の右側端部６３Ａ及び左側端部６３Ｂに取り付けられているため、右側当板１２Ａ及び左側当板１２Ｂとの間隔が拡げられたときに、当該保持プレート６４により、ぐらついてしまうことを未然に防止し、右側分離部４１及び左側分離部４２が横一列に並んだ状態を保つようになされている。
【００７９】
実際上、紙筒苗群分離装置６０では、左側分離部４１及び右側分離部４２の間が蛇腹式スライドユニット６３により伸縮し、このとき右側当板１２Ａに対して右側回動枠体ＲＷ１Ｒが回動自在に一体に取り付けられていると共に、左側当板１２Ｂに対して左側回動枠体ＲＷ１Ｌが回動自在に一体に取り付けられているので、右側当板１２Ａと左側当板１２Ｂとを互いに所定距離だけ離した状態で、右側回動枠体ＲＷ１Ｒ及び左側回動枠体ＲＷ１Ｌを互いに独立して回動させ得るようになされている。
【００８０】
これにより紙筒苗群分離装置６０は、左右２つの苗植付部を有するタイプの半自動ビート用移植機における当該左右２つの苗植付部に対応した左右２つの苗搬送ベルトに対し、右側回動枠体ＲＷ１Ｒ及び左側回動枠体ＲＷ１Ｌにより保持している最前列の紙筒苗列を倒置して載せる際、左右２つの苗搬送ベルトの間隔とほぼ同じ程度の距離となるように、当板１２Ａと当板１２Ｂとの間隔を蛇腹式スライドユニット６３により拡げた後、右側回動枠体ＲＷ１Ｒ及び左側回動枠体ＲＷ１Ｌをそれぞれ個別に独立して回動させることができる。
【００８１】
従って紙筒苗群分離装置６０は、例えば苗供給者が着座している半自動ビート用移植機の座席中央位置から右側回動枠体ＲＷ１Ｒ、左側回動枠体ＲＷ１Ｌを順番に回動させて右側係合針２２、左側係合針２５を引き抜くことにより、当該右側回動枠体ＲＷ１Ｒにより保持されている右側紙筒苗列及び当該左側回動枠体ＲＷ１Ｌにより保持されている左側紙筒苗列を左右２つの苗搬送ベルトに載せて供給することができる。
【００８２】
このとき紙筒苗群分離装置６０は、苗供給者が着座している座席中央位置から身体を左右へ捻る必要が殆ど無いため、苗供給者の身体的負担を軽減し得、かくして右側紙筒苗列及び左側紙筒苗列を右側及び左側の苗搬送ベルトへ容易かつ正確に供給し得るようになされている。
【００８３】
なお、紙筒苗群分離装置６０は、右側当板１２Ａと左側当板１２Ｂとの間隔を蛇腹式スライドユニット６３により拡げた状態で、右側回動枠体ＲＷ１Ｒ及び左側回動枠体ＲＷ１Ｌをそれぞれ個別に独立して回動させることができるので、左右２つの苗搬送ベルトの前にそれぞれ苗供給者が着座している場合にも対応することができ、１人用及び２人用に供することができる。
【００８４】
以上の構成において、第四の実施の形態における紙筒苗群分離装置６０は、右側回動枠体ＲＷ１Ｒと当板１２Ａとが一体化され、左側回動枠体ＲＷ１Ｌと当板１２Ｂとが一体化された状態で、半自動ビート用移植機における左右２つの苗植付部に対応した左右２つの苗搬送ベルトに対向するように、当板１２Ａと当板１２Ｂとの間隔を蛇腹式スライドユニット６３により拡げられる構造であるため、係合針２２、２５により係合された右側紙筒苗列、左側紙筒苗列を当該係合針２２、２５及び当板１２Ａ、１２Ｂにより挟み付けたまま強固な状態で保持することが出来る。
【００８５】
従って紙筒苗群分離装置６０は、半自動ビート用移植機における左右２つの苗植付部に対応した左右２つの苗搬送ベルトに対向するように右側当板１２Ａ及び左側当板１２Ｂを配置したとき、当該左右２つの苗搬送ベルトへ右側紙筒苗列、左側紙筒苗列を供給する前に落下させてしまうことを未然に回避することができる。
【００８６】
また紙筒苗群分離装置６０は、半自動ビート用移植機における左右２つの苗植付部に対応した左右２つの苗搬送ベルトに対向するように右側当板１２Ａと左側当板１２Ｂとの間隔を広げると共に、右側回動枠体ＲＷ１Ｒ及び左側回動枠体ＲＷ１Ｌをそれぞれ独立して回動させることができるので、右側回動枠体ＲＷ１Ｒ及び左側回動枠体ＲＷ１Ｌにより右側の苗搬送ベルト及び左側の苗搬送ベルトに対してそれぞれ独立して右側紙筒苗列、左側紙筒苗列を供給することができる。
【００８７】
すなわち第四の実施の形態における紙筒苗群分離装置６０では、半自動ビート用移植機における左右２つの苗植付部に対応した左右２つの苗搬送ベルトに対向するように、右側当板１２Ａ及び右側回動枠体ＲＷ１Ｒと、左側当板１２Ｂ及び左側回動枠体ＲＷ１Ｌとが互いに所定距離だけ離れた状態で、個別に回動動作できるようにしたことにより、苗供給者が着座している座席中央位置のまま身体を左右へ捻ることなく、右側紙筒苗列、左側紙筒苗列の供給作業を確実かつ正確に効率良く実行することができる。
【００８８】
以上の構成によれば、第四の実施の形態における紙筒苗群分離装置６０は、右側当板１２Ａ及び右側回動枠体ＲＷ１Ｒと、左側当板１２Ｂ及び左側回動枠体ＲＷ１Ｌとの間隔を蛇腹式スライドユニット６３により調整可能とし、かつ右側回動枠体ＲＷ１Ｒ及び左側回動枠体ＲＷ１Ｌを独立して回動動作可能な構成としたことにより、半自動ビート用移植機における左右２つの苗植付部に対応した左右２つの苗搬送ベルトに対して右側紙筒苗列及び左側紙筒苗列を供給するときの身体的負担を大幅に軽減し、かつ紙筒苗列の供給作業を確実かつ正確に効率良く実行することができる。
【００８９】
（５）他の実施の形態
なお上述した第一の実施の形態においては、紙筒苗群分離装置１０の右側回動枠体ＲＷ１Ｒ及び左側回動枠体ＲＷ１Ｌが、あたかも従来の回動枠体ＲＷ（図５）をその中心部分から２つに分割したかのような構成であり、右側回動枠体ＲＷ１Ｒと左側回動枠体ＲＷ１Ｌとの間隔が殆ど無い場合を一例として説明したが、本発明はこれに限らず、右側回動枠体ＲＷ１Ｒと左側回動枠体ＲＷ１Ｌとの間隔が半自動ビート用移植機における左右２つの苗搬送ベルトの間隔とほぼ同じ程度に予め設定されるようにしても良い。
【００９０】
また上述した第二の実施の形態においては、紙筒苗群分離装置３０の左側回動枠体ＲＷ１Ｌがスライドして右側回動枠体ＲＷ１Ｒから最も遠くに離れた位置まで移動したときでも、スライド軸３１を介して右側横ハンドル２３と左側横ハンドル２６との連結状態が維持されるようにした場合について述べたが、本発明はこれに限らず、スライド軸３１が存在しない状態で、右側回動枠体ＲＷ１Ｒと左側回動枠体ＲＷ１Ｌとがそれぞれ独立して回動動作できるようにしてもよい。
【００９１】
さらに上述した第三の実施の形態においては、紙筒苗群分離装置４０の右側回動枠体ＲＷ１Ｒと左側回動枠体ＲＷ１Ｌとがそれぞれ独立して回動動作できるようにした場合について述べたが、本発明はこれに限らず、紙筒苗群分離装置３０（図２）のようなスライド軸３１を介して右側横ハンドル２３と左側横ハンドル２６との連結状態が維持されることにより、右側回動枠体ＲＷ１Ｒと左側回動枠体ＲＷ１Ｌとが所定距離だけ離れた状態で同時に回動動作するようにしても良い。
【００９２】
さらに上述した第四の実施の形態においては、紙筒苗群分離装置６０の右側回動枠体ＲＷ１Ｒと左側回動枠体ＲＷ１Ｌとがそれぞれ独立して回動動作できるようにした場合について述べたが、本発明はこれに限らず、紙筒苗群分離装置３０（図２）のようなスライド軸３１を介して右側横ハンドル２３と左側横ハンドル２６との連結状態が維持されることにより、右側回動枠体ＲＷ１Ｒと左側回動枠体ＲＷ１Ｌとが所定距離だけ離れた状態で同時に回動動作するようにしても良い。
【００９３】
さらに上述した第一の実施の形態乃至第四の実施の形態においては、第１回動枠体としての右側回動枠体ＲＷ１Ｒと、第２回動枠体としての左側回動枠体ＲＷ１Ｌとによって紙筒苗群分離装置１０、３０、４０、６０を構成するようにした場合について述べたが、本発明はこれに限らず、少なくとも、２つ以上の回動枠体を有するのであれば、例えば、右側回動枠体ＲＷ１Ｒ、左側回動枠体ＲＷ１Ｌ及び中央回動枠体の３つの回動枠体を有する構成であったり、４つ以上の回動枠体を有する構成であっても良い。
【符号の説明】
【００９４】
１０、３０、４０、６０……紙筒苗群分離装置、１１……上下支持片、１２……当板、１３……縦ハンドル、１５……右側支持片、１６……左側支持片、１８……前向き折曲片、１９……直角隅角部、２１……右側中央横架軸、２４……左側中央横架軸、２２……右側係合針、２３……右側横ハンドル、２６……左側横ハンドル、２５……左側係合針、ＲＷ１Ｒ……右側回動枠体、ＲＷ１Ｌ……左側回動枠体、３１……スライド軸、３２……スライドユニット、４１……、４２……、５１……、５２……、５３、５４、５８、５９……ネジ、６３……蛇腹式スライドユニット。
【図１】
0005719679.tif 000002
【図２】
0005719679.tif 000003
【図３】
0005719679.tif 000004
【図４】
0005719679.tif 000005
【図５】
0005719679.tif 000006